(57)【要約】【課題】小型でも操作性，視認性の良い光受信機を提供する。【解決手段】光受信部１３と光ファイバ収容部２４とを電子機器ケースに収納し，上記電子機器ケースは，前面が開放されたケース本体３と，このケース本体の開放部を覆い，当該ケース本体に対して開閉自在に枢着された蓋体４と，前記本体の背面の側に壁面取付部材とを備え，ケース本体に収納された上記光受信部と上記光ファイバ収容部とは，当該光ファイバ収容部が上記光受信部に対して上記ケース本体の開放部側に収納され，上記光ファイバ収容部は，基板２５と，当該基板に備えられ光ファイバを安全曲率の範囲内で添付を可能とする巻枠２６，２７とからなり，上記巻枠の少なくとも１つには，当該巻枠の中間位置側に上記基板を貫通する透孔２５ｂを設け，当該透孔と上記光受信部とを相対抗して配置して，ケース本体の前面側から調整・確認が可能とする。【選択図】  図１
2005025094.tif 000002
【特許請求の範囲】
【請求項１】
光受信部と光ファイバ収容部とを電子機器ケースに収納させた光受信機において，
上記電子機器ケースは，前面が開放されたケース本体と，このケース本体の開放部を覆う蓋体とからなり，上記ケース本体の背面の側には壁面取付部材を備え，
上記光受信部は，シールド効果を有するケースでユニット化されており，当該ケースの一側面には，ケースの外側から上記光受信部の動作状態の確認ができる表示手段と，光受信部の制御ができる制御手段とを備えさせた表示・操作部が設けられ，
上記光ファイバ収容部は，基板と，当該基板の前面方向に備えられ，光ファイバを安全曲率の範囲内で添付を可能とする少なくとも１つの巻枠とからなり，当該巻枠の少なくとも１つには，巻枠の中間位置側に上記基板を貫通する透孔が設けられ，
上記光受信部と上記光ファイバ収容部は，当該光ファイバ収容部が上記光受信部に対して上記ケース本体の開放部側になるようケース本体に収納され，
上記表示・操作部は，上記光ファイバ収容部に設けられた少なくとも１つの透孔と相対抗するよう配置することで，ケース本体の前面側から確認及び操作ができるように構成したことを特徴とした光受信機。
【請求項２】
上記光受信部の表示・操作部は，上記光ファイバ収容部の巻枠の前面側端部より突出させないように配設したことを特徴とした請求項１に記載の光受信機。
【発明の詳細な説明】
【技術分野】
【０００１】
本発明は，主に光伝送システムに利用される光受信機の構造に関する。
【背景技術】
【０００２】
従来の光受信機においては，ケース本体に対して引き込んだ光ファイバと，引き出し側の光ファイバとの接続作業を行う場合には，両者の接続を特殊な工具を用いて接続する必要がある。またケース本体に対して引き込んだ光ファイバに光コネクターを取付ける必要があることなどを考慮して，上記光ケーブルの被覆を除去した後の光ファイバの長さが数十センチ必要となる。その為，両者の接続作業を終えた後は光ファイバの余長部分を収容する必要が生じる。この場合，光ファイバは一定の曲率よりも小さく巻き込むと光ファイバが破壊する危険があるので，従来の光受信機においては，光ケーブルや，光ファイバに対する安全を見込んで，できるだけ大きな曲率で巻くようにすることで，その余長の光ケーブルや，光ファイバを痛めることの無いようにしていた。（例えば，特許文献１参照）
【０００３】
【特許文献１】特開平７-３２５２２７号公報
【発明の開示】
【発明が解決しようとする課題】
【０００４】
しかし，従来の光受信機のように，光ファイバを痛めないようにできるだけ大きな曲率で巻枠に巻きつけると光ファイバを収納するためのケースにおける占有面積が大きくなり，延いてはそれを納めるケースが大きくなるといった問題があった。
また，光ファイバを痛めない範囲において規定の曲率範囲で巻枠に巻きつけたときに，光送信部に電源が供給されていることや光信号が入力されていることを示す表示手段及び出力レベルを設定する切替手段等が備えさせられているとすると，光ファイバにストレスをかけることなく，上記表示手段の確認，切替手段の操作ができる必要があった。
そこで本願においては，こうした問題点を解決するためになされたものであり，
その目的は，小型の光受信機を提供することにある。
他の目的は，工具等を使用しなくとも設定が容易にできる操作性の良い光受信機を提供することにある。
他の目的は，光ファイバの余長部分を収納する光ファイバ収容部を備えさせて小型に構成した光受信機を提供することにある。
他の目的は，ケース本体に，光ファイバ収容部が上記光受信部に対して上記ケース本体の開放部側に収納されるように配置させて，ケース本体の開口部側から，光ファイバに触れることなく上記光送信部の操作や確認が可能とした光受信機を提供することにある。
他の目的は，上記光送信部の誤操作や光ファイバの破損に対して，対策のなされた光受信機を提供することにある。
【課題を解決するための手段】
【０００５】
上記課題を解決するために，請求項１の発明は，光受信部と光ファイバ収容部とを電子機器ケースに収納させた光受信機において，上記電子機器ケースは，前面が開放されたケース本体と，このケース本体の開放部を覆う蓋体とからなり，上記ケース本体の背面の側には壁面取付部材を備え，上記光受信部は，シールド効果を有するケースでユニット化されており，当該ケースの一側面には，ケースの外側から上記光受信部の動作状態の確認ができる表示手段と，光受信部の制御ができる制御手段とを備えさせた表示・操作部が設けられ，上記光ファイバ収容部は，基板と，当該基板に備えられ光ファイバを安全曲率の範囲内で添付を可能とする少なくとも１つの巻枠とからなり，当該巻枠の少なくとも１つには，巻枠の中間位置側に上記基板を貫通する透孔が設けられ，上記光受信部と上記光ファイバ収容部は，当該光ファイバ収容部が上記光受信部に対して上記ケース本体の開放部側になるようケース本体に収納され，上記表示・操作部は，上記光ファイバ収容部に設けられた少なくとも１つの透孔と相対抗するよう配置することで，ケース本体の前面側から確認及び操作ができるように構成される。
【０００６】
請求項２の発明は，上記光受信部の表示・操作部は，上記光ファイバ収容部の巻枠の前面側端部より突出させないように配設した。
【発明の効果】
【０００７】
以上詳述したように，請求項１の発明によれば，光受信部と光ファイバ収容部とを電子機器ケースに収納させた光受信機において，上記電子機器ケースは，前面が開放されたケース本体と，このケース本体の開放部を覆う蓋体とからなり，前記本体の背面の側には壁面取付部材を備え，上記光受信部は，シールド効果を有するケースでユニット化されており，当該ケースの一側面には，ケースの外側から上記光受信部の動作状態の確認ができる表示手段と，光受信部の制御ができる制御手段とを備えさせた表示・操作部が設けられ，上記光ファイバ収容部は，基板と，当該基板に備えられ光ファイバを安全曲率の範囲内で添付を可能とする少なくとも１つの巻枠とからなり，当該巻枠の少なくとも１つには，巻枠の中間位置側に上記基板を貫通する透孔が設けられ，上記光受信部と上記光ファイバ収容部は，当該光ファイバ収容部が上記光受信部に対して上記ケース本体の開放部側になるようケース本体に収納され，上記表示・操作部は，上記光ファイバ収容部に設けられた少なくとも１つの透孔と相対抗するよう配置することで，ケース本体の前面側から確認及び操作ができるように構成したので，光ファイバ収容部に収容させた余長の光ファイバに触れることなく，ケース本体の前面側から表示の確認や操作手段の操作できる操作性の良い光受信機が提供できるのである。更に，上記光受信機の表示・操作部を上記巻枠の中心位置側に備えさせた透孔と相対抗するように配設したことで，光ファイバ収容部の有効利用によって占有面積を小さく形成でき，延いては光受信機のケースの小型化が実現できるのである。
【０００８】
請求項２の発明によれば，上記光受信部の表示・操作部は，上記光ファイバ収容部の巻枠の前面側端部より突出させないように配設したので，上記表示・操作部は巻枠の周壁によって囲まれて，操作に影響の無い範囲で，ケース本体の奥行方向に配設されることになり，例えば，操作手段の操作部を光受信部のケースの外側から直接指先で操作できるように，ケースよりやや突出させて配設させても，余長の光ファイバの収容する際に，上記操作部が光ファイバに触れて，光ファイバを痛めてしまうとか，指先や光ファイバが触れて操作手段が切り替ってしまうような，誤操作をしてしまうことを未然に防止できるといった高信頼な光受信機を提供できるのである。また，操作部を操作するための工具を用意する必用も無いので，取り扱いの容易性においても有用性の高い光受信機を提供できるのである。
【発明を実施するための最良の形態】
【０００９】
以下に，本発明を具体化した実施形態の１例を，図面を基に詳細に説明する。
【実施例１】
【００１０】
図１は本願の発明に係る光受信機の実施例を示す斜視図である。図２は本願の光受信機の前面側から見た図である。図３は図２におけるＡ−Ａ線の一部断面図である。図４は他の実施例を示す図である。図５は光アダプタと光コネクタ仮止具の近傍の部分拡大図である。図６は本願の光受信機を用いた概略システム図である。図７は本願の光受信機を壁面に取付けたときの側面図である。
【００１１】
１は本発明における光受信機を示し，光伝送システムにおいて，光信号をケース本体に引き込み，引き込んだ光ファイバに，通信機（例えば，メディアコンバーター，）などに接続される引き出し側の光ファイバを接続した後の，当該光ファイバの余長部分を収容し，また，光信号をテレビジョン受像機などで受信できるような電気信号に変換するＯ／Ｅ変換手段を備えさせており，ビルやマンション等に設置されて使用されるものである。
【００１２】
３は光受信機におけるケース本体であり，２ａ，２ｂはこのケース本体に一体的に成形された壁面取付部材である。４はケース本体に開閉自在に枢着された蓋体を示し，例えば合成樹脂で成形されている。５はケース本体の収納空間を示し，当該収納空間５に対して背面側から光受信部１３，余長の光ファイバを収容する光ファイバ収容部２４の順で配設されている。
６は周知の光ケーブルの出入り口を示し後述の光ファイバ収容部２４と一体的に成形されている。８，９は周知のテレビ信号を取り出すための出力端子突出口であり，上記ケース本体３と一体的に成形されている。
尚，本願の実施例ではケース本体３及び蓋体４は合成樹脂材料を成形したものを用いているが，この実施例に限定されるものではなく，例えばアルミ材等の金属性材料を用いて成形してもよいし，例えばケース本体３はアルミ材，蓋体４は合成樹脂材料といったように組み合わせて使用しても良い。
【００１３】
光受信部１３は金属製のシールドケース１４でもってユニット化されており，ケース本体３に着脱自在に任意の手段で固着されている。上記シールドケース１４には光信号を電気信号に変換するＯ／Ｅ変換手段と，必要に応じて電気信号（言い換えれば，テレビジョン受像機用の高周波信号）を適正レベルまで増幅するための増幅回路をプリント基板等の回路基板１５に備えさせて，光受信部１３を形成している。１６はテレビ信号用出力端子，１６ａはテレビ信号用モニタ端子である。
またこの光受信部１３には，光信号が入力されているかどうかを表示する表示手段３０（例えば，光信号が適正レベルで入力されているときにＬＥＤを点灯させる。），適正な電源電圧が供給されているかどうかを表示する表示手段３１（例えば，適正電圧が入力されているときにＬＥＤを点灯させる。），光受信機の出力レベルを適宜可変するための切替手段３２，出力にチルト特性を持たせるためのＯＮ／ＯＦＦ手段３３等が備えさせてあり，これらが上記光受信機１３のケース１４の外側から，指先を用いて操作できるように上記シールドケース１４の前面側（即ち，開口部側）に集中させた表示・操作部３４が設けられている。
【００１４】
更に，シールドケース１４の前面側には，光アダプタ２０が着脱自在に固着されている。この光アダプタ２０には，先端側に光コネクタ２１ａが接続され，他端側がシールドケース１４に設けられた透孔１４ａを通して，シールドケース１４内のＯ／Ｅ変換手段と接続された光ファイバ１７が抜差し自在に接続されている。
【００１５】
次に，光ファイバ収容部２４について説明する。光ファイバ収容部２４は基板２５と巻枠２６，２７からなる。基板２５は金属性材料若しくは合成樹脂等の硬質平板材で形成してあり，ケース本体３の収納空間５に上記光受信部１３を取付けた後に，ケース本体３若しくはシールドケース１４に任意の手段でもって着脱自在に固着されている。
巻枠２６．２７は余長の光ファイバを収容するための添付部である。即ち，ケース本体３に対して引き込んだ光ファイバ４５と，引き出し側の光ケーブルに続く光ファイバ４６との接続作業を行う場合，両者の接続を特殊な工具を用いて接続する必要があり，またケース本体３に対して引き込んだ光ファイバ４４に，光コネクター２１ｂが取付けられた光ファイバ４７を接続する必要があることなどから，上記光ケーブルの被覆を除去した後の光ファイバ４４，４５，４６，４７の長さが数十センチ必要となる。その為，両者の接続作業を終えた後は光ファイバの余長部分の収容する必要が生じる。この場合光ファイバは一定の曲率よりも小さく巻き込むと光ファイバが破壊する危険があるので，光ファイバに対する規定範囲内の曲率で，なるべく小さい曲率で巻きつけて，余長の光ファイバを収容するためのものである。
【００１６】
本願の実施例の光ファイバ収容部１３はケース本体４又はシールドケース１４に着脱自在に固着されているので，上述のように光ファイバを収容する場合において，光受信機１の取り付け場所によっては，上記光ファイバ収容部１３を取り外して光ファイバを収容する方が容易に光ファイバを収容できるように構成されている。そして光ファイバの収容の際には，この実施例でいえば光ファイバ４７を巻枠２７と巻枠２６とを使って収容して，この光ファイバ４７の自由端側に設けられた光コネクタ２１ｂが，基板２５に設けられた光コネクタ仮止具２５ｄに仮止めできるように，光ケーブルの長さを考慮して収容するのである。図５に光コネクタ仮止具２５ｄの実施例の部分拡大図を示し，図中の矢印は，光コネクタ２１ｂの移動及び光アダプタ２０への挿入方向を示す。
【００１７】
上記光コネクタ仮止具２５ｄの近傍には，上記基板２５の一部であって，収容した余長の光ファイバと重合しない場所に，上記光受信部１３に光信号を取込むために備えさせた光アダプタ２０を，ケース本体３の開口部側に露出するように欠如部２５ａが形成されている。合わせて，光ファイバ収容部をケース本体３に収容したときに，光アダプタ２０は基板２５の開口部側の面とほぼ同じ高さか少し高くなるように配設されているので，この結果，上記光コネクタ仮止具２５ｄに仮止めされた光コネクタ２１ｂと光アダプタ２０とはほぼ相対抗する位置にくるようになり，僅かな光コネクタの移動でもって接続が可能となり，取付性のよさばかりでなく，光ファイバに更なる無駄なストレスを加えないように構成されているのである。
【００１８】
本願の実施例の巻枠２６，２７について詳しく説明する。光ファイバ４４，４５，４６，４７の添え付けを可能とする安全曲率の範囲内で小さい曲率に形成されている周壁２６ａ，２７ａを有する第１の巻枠２６と第２の巻枠２７とが併置され，さらには当該第１の巻枠と，第２の巻枠の円弧の一部が相互に重なり合うように近づけてある。このとき相互に重なり合う第１の巻枠２６と，第２の巻枠２７の周壁２６ａ，２７ａ部分には光ファイバが通過可能な間隔を持たせてある切欠部２９，２９を設け，当該切欠部２９，２９と連通させて第１の巻枠２６と第２の巻枠２７の夫々の中間位置には，光ファイバを通過可能とするために，上記安全曲率の範囲内で小さい曲率で形成した間隙の第１の通路２６ｂと第２の通路２７ｂが設けられている。
この配置によれば，上記光ファイバ出入り口６から引き込まれた光ファイバを，第２の巻枠に対して右回しに巻きつけながら，第１の巻枠に対しても右回りに巻きつけ可能となる。また，第１の巻枠と第２の巻枠を組み合わせて右回しに巻きつけることで余長の光ファイバの収容における細かい調整が可能となる。
【００１９】
更に，第２の巻枠の中間位置には，上記光ファイバ出入り口から引き込まれた光ファイバを，第２の巻枠，第１の巻枠に対して左回りに巻きつけ可能とするための始端であって，光ファイバを通過可能とするために上記安全曲率の範囲内で小さい曲率で形成した間隙の第３の通路２７ｃが設けられている。
この配置によれば，上記光ファイバ出入り口から引き込まれた光ファイバを，第３の通路を通過させて，第１の巻枠に対して左回りに巻きつけ可能となる。また，第１の巻枠と第２の巻枠を組み合わせて左回し巻き付けることで余長の光ファイバの収容において細かい調整が可能となる。
尚，巻枠の周壁２６ａ，２７ａは上記基板２５が合成樹脂で成形されている場合は上記基板２５と一体的に成形されても良いし別体で形成しても良い。また，上記周壁２６ａ，２７ａの上部位置及び周壁の外周から離れた位置は夫々光ファイバが跳ね上がるのを防止するための跳止爪２８がそれぞれ一体的に成形されて適宜配置されており，光ファイバの収容が安定的に行われる。
本願の第１の巻枠２６と第２の巻枠２７は相互に重なり合うように並置されているが，夫々重なり合わないように並置させても良いし，巻枠を１つとして，光ファイバの添え付けを可能とする安全曲率の範囲内で小さい曲率に形成された長円形でも良い。
外周壁５０は，上記巻枠２６，２７の周壁２６ａ，２７ａから間隔を隔てて光ファイバを大きな曲率で配置することを許容する，光ファイバの外周位置規制用のためのものであり，跳止爪２８を適宜に配設するならば無くても良い。
【００２０】
このようにして設けられた巻枠の周壁の内側は光ファイバの引き回しができないスペースとなる。そこで，光ファイバ収容部を出来る限り小型化すると共に，上記スペースには基板を貫通する透孔を形成して，当該透孔を通して，ケース本体の前面側から光受信機の動作確認や制御を行うようにしたものである。
【００２１】
本願の実施例について説明する。第１の巻枠２６における周壁２６ａの内周と上記第１の通路２６ｂの外周に囲まれた範囲には上記基板２５を貫通する透孔２５ｂが設けられている。尚，本願の透孔の形状は第１の巻枠２６の周壁と第２の通路２６ｂの外周の周壁に囲まれた形の透孔を形成しているが，透孔の形状は実施例に限定されるものではない。本願の光受信機１においては，この透孔２５ｂと，上記光受信部１３の表示・操作部３４とが相対抗するように配設されており，この光受信部１３の一側面に備えさせた，光信号が入力されているかどうかを表示する表示手段３０，適正な電源電圧が供給されているかどうかを表示する表示手段３１，光受信機１の出力レベルを適宜可変するための切替手段３２，出力信号にチルト特性を持たせるための切替手段３３等の操作手段を集中させた表示・操作部３４を，光ファイバ収容部２４に収容させた余長の光ファイバに触れることなく，ケース本体３の前面側から操作できるのである。
【００２２】
また，逆にいえば，光ファイバを収容するときに，当該光ファイバが操作手段等の操作部等に引っ掛かったりすることが無いので，光ファイバを痛めることなく収容できる。更に加えて，上記光受信機１の表示・操作部３４を上記巻枠２６の中心位置側に備えさせた透孔２６ｂと相対抗するように配設したので，光ファイバ収容部２４の有効利用によって占有面積を小さく形成でき，延いては光受信機１のケースの小型化が実現できるのである。
【００２３】
更にまた，上記表示・操作部３４は，上記光ファイバ収容部２４の周壁２６ａの上端部より突出させないように配設したので，上記表示・操作部３４は巻枠２６の周壁２６ａによって囲まれて，操作に影響の無い範囲で，ケース本体３の奥行方向に配設されることになり，上記操作部が光ファイバに触れて，光ファイバを痛めてしまうとか，指先や光ファイバが触れて操作手段が切り替ってしまうような，誤操作をしてしまうことを注意する必要も，特別に工具を用意必要もなく，操作手段３２，３３の操作部は光受信部１３のケース１４の外側から直接指先で操作できるのである。
【００２４】
このようにして，ケース本体３の内側に光受信部１３と余長の光ファイバを収容する光ファイバ収容部２４とを収容したならば，光ケーブル４１で光ファイバ４４，４５を引き込み，光ファイバ収容部２４に光ファイバを収容した後は，ケース本体３に蓋体４を被せ，例えばビルやマンションの宅内５４の壁面に設けられた収納ボックス等に，壁面取付部材２ａ，２ｂでもって取付けられるのである。次に，光ケーブルの出入り口から引き出される光ケーブル４２には例えばメディアコンバーター５０，パソコン５１が接続されて光信号を利用できるのである。また，上記出力端子突出口９の出力端子１６から引き出される同軸ケーブル４０にはセットトップボックス５２，テレビ受像機５３が接続されて利用できるのである。
【００２５】
本願の実施例においては，表示手段３０，３１や操作手段３２，３３は光受信部１３のケース１４の一側面側に集中させて表示・操作部３４とし，当該表示・操作部３４は第１の巻枠２６の中間位置側に設けた透孔２５ｂと相対向させるようにする例を示したが，光受信機１３の回路構成によって表示手段３０，３１や操作手段３２，３３の配置を適宜に変更してもよく，例えば，図３の如く第１の巻枠２６の透孔２５ｂには操作手段３２，３３を，第２の巻枠の中間位置に備えさせた透孔２５ｃには表示手段３０，３１を相対向させるようにして，ケース本体３の前面側から確認や操作ができるように構成しても良い。また，表示手段や操作手段の識別のための表示は，光受信部のケースにラベルを貼って表示させてもよいし，基板の上面に，当該基板と一体的に成形して表示するようにしても良い。
本願に示した，操作手段及び表示手段は一例であり，これらの実施例に限定されるものではなく，必用に応じて上記機能とはな異なる機能を追加しても良いし，これらの機能を適宜組み合わせて使用しても良い。
尚，本発明は上記実施の形態に限定されるものではなく，本発明の趣旨を逸脱しない範囲で各部の構造並びに配置等を適宜に変更して実施することも可能である。
【産業上の利用可能性】
【００２６】
上記の構成によって，宅内における設置場所の占有面積が小さく，しかも，設置場所を選ばない光受信機だけでなく，光関連機器に拡大して利用できる。
【図面の簡単な説明】
【００２７】
【図１】本願の発明に係る光受信機の実施例を示す斜視図である。
【図２】本願の光受信機（蓋体は省略してある。）の前面側から見た図である。
【図３】図２におけるＡ−Ａ線の一部断面図である。
【図４】他の実施例を示す図である。
【図５】光アダプタと光コネクタ仮止具の近傍の部分拡大図である。
【図６】本願の光受信機を用いた概略システム図である。
【図７】本願の光受信機を壁面に取付けたときの側面図である。
【符号の説明】
【００２８】
１…光受信機，２ａ，２ｂ…壁面取付部材，３…ケース本体，４…蓋体，５…収納空間，６…光ケーブル出入口，８…テレビ出力端子突出口，９…テレビ出力端子突出口，１３…光受信部，１４…ケース（シールドケース），１４ａ…透孔，１５…回路基板，１６…出力端子，１６ａ…出力レベルモニタ端子，１７…光ファイバ，２０…光アダプタ，２１…光コネクタ，２４…光ファイバ収容部，２５…基板，２５ａ…欠如部，２５ｂ…透孔，２５ｃ…透孔，２５ｄ…光コネクタ仮止具，２６…第１の巻枠，２６ａ…周壁，２６ｂ…第１の通路，２７…第２の巻枠，２７ａ…周壁，２７ｂ…第２の通路，２７ｃ…第３の通路，２８…跳止爪，２９…切欠部，３０…光信号の表示手段（ＬＥＤ），３１…電源の表示手段（ＬＥＤ），３２…出力レベル切替手段（スイッチ），３３…チルトＯＮ／ＯＦＦ手段（スイッチ），３４…表示・操作部，４０…同軸ケーブル，４１…２芯光ケーブル，４２…光ケーブル，４４〜４７…光ファイバ， ５０…外周壁
【図１】
2005025094.tif 000003
【図２】
2005025094.tif 000004
【図３】
2005025094.tif 000005
【図４】
2005025094.tif 000006
【図５】
2005025094.tif 000007
【図６】
2005025094.tif 000008
【図７】
2005025094.tif 000009